(57)【要約】ブリスターバンド（４）の切断によるブリスターパック（７）の製造方法と関連装置（１）であって、これによると、製品が収納されるブリスター（２）付きのバンド（４）が、次のステーション、バンド（４）検証ステーション、ブリスターバンドがカバーバンドで閉鎖される閉鎖ステーションを通って閉鎖ブリスターバンド（４）の切断用の切断ステーション（５）まで、選定された供給方向（Ａ）に供給される。該切断ステーション（５）において、閉鎖ブリスターバンド（４）は、少なくとも１つの細長片（９a，９b）あるいはブリスターバンド（４）の断片長手方向縁から関連ブリスターパック（７）が漸進的剪断によって切断され、分離されて得られる。不満足と見なされたブリスターバンド（４）の部分が管理ステーションで検知される場合、欠陥と見なされると同時に拒絶に向けられる対応するブリスターパック（８）のバンド（４）の細長片（９a，９b）からの分離が防止されるよう、次の剪断は部分的あるいは不完全に実行される。【選択図】図１
2007534570.tif 000002
【特許請求の範囲】
【請求項１】
製品収納ブリスター（２）があるバンド（４）の、前記バンド（４）の閉鎖に関するカバーバンドと一緒の前記バンド（４）検証用次ステーションを通る閉鎖ブリスターバンド（４）切断ステーション（５）までの選定供給方向（Ａ）の供給、前記ブリスターバンド（４）の長手方向縁の少なくとも一つの細長片（9a,9b）あるいは断片から分離されるブリスターパック（７）獲得用前記切断ステーション（５）における前記閉鎖ブリスターバンド（４）の漸進的剪断の段階が含まれるとともに、前記管理ステーションにおいて、前記ブリスターバンド（４）に不満足と見なされる部分が検知される場合、前記バンド（４）の前記細長片（9a,9b）から欠陥ありと見なされかつ拒絶に向けられる対応するブリスターパック（８）の分離が防止されるよう前記の次切断が部分的あるいは不完全に実行されることを特徴とするブリスターバンド（４）の切断によるブリスターパック（７）獲得方法。
【請求項２】
さらに前記ブリスターバンド（４）の前記細長片（9a,9b）の切断あるいは区分け中に、前記区分けが前記切断ステーション（５）において前記剪断と同時に得られる段階が含まれる請求項１に記載の方法。
【請求項３】
前記欠陥ブリスターパック（８）と同時に少なくとも一つの対応する前記細長片（9a,9b）の端きれ（19a,19b）によって定められ、少なくとも1ヶ所の合流区域（46a,46b）における欠陥ブリスターパック（８）の少なくとも片側に合流される群（１８）が前記不完全剪断によりつくられる請求項２に記載の方法。
【請求項４】
ブリスター（２）の各製品の適正充填および／またはブリスター（２）内部収納製品の完全度が前記管理ステーションで検証され、これに空、あるいは不完全な製品あるいは製品の断片で充填される少なくとも一つの前記ブリスター（２）がある場合に、前記プリスターパック（８）に欠陥ありと見なされる請求項１から請求項３までのいずれかに記載の方法。
【請求項５】
さらに、前記細長片（9a,9b）および前記欠陥ブリスターパック（８）の前記群（１８）の拒絶が含まれ、前記拒絶に、細長片（9a,9b）およびすべてが空のブリスター（２）の前記欠陥ブリスターパック（８）によって定められる前記群（１８）の選定とこれらの第１拒絶容器（６５）への送付、並びに、完全あるいは不完全製品で充填された少なくとも一つの前記ブリスター（２）を伴う欠陥ブリスターパック（８）によって定められる前記群（１８）の選定とこれらの第２拒絶容器（６６）への送付が含まれる前記請求項２から請求項４までの請求項に記載の方法。
【請求項６】
相互動作を伴って移動すると同時に、前記方向（Ａ）のほぼ横断方向に供給される前記ブリスターバンド（４）と関連する段階で作動する押し抜き手段（３２）が含まれる切断手段（３０）によって前記不完全切断が得られ、前記押し抜き手段（３２）にはその延長部の縮小が可能である切断区域（３３）がある請求項１から請求項５までのいずれかに記載の方法。
【請求項７】
前記ブリスターバンド（４）が切断されるためにもたらされる前記縮小可能な切断の縮小、区域（３３）が、少なくとも前記不完全切断が実行されるよう前記ブリスターバンド（４）に作動する少なくとも1ヶ所の一次切断区間（３４）、ならびに、前記細長片（9a,9b）からブリスターパック（７）の前記完全分離が実行されるよう前記ブリスターバンド（４）に作動する少なくとも1ヶ所の二次切断区間（３５）がある前記押し抜き手段（３２）の作業行程の制限によって得られる請求項６に記載の方法。
【請求項８】
前記の二次切断区間（３５）が前記切断区間（３４）のある理想横断面に関して移動する請求項７に記載の方法。
【請求項９】
二次切断区間（３５）が前記一次切断区間（３４）の少なくとも主要部分がある理想横断面と傾斜した向きに向けられて設置される請求項７あるいは請求項８に記載の方法。
【請求項１０】
前記二次切断区間（３５）に、向き合ったかつ前記ブリスターバンド（４）の長手方向縁（6a,6b）に対応する領域に位置するのが好ましい少なくとも2ヶ所の傾斜部分がある請求項７から請求項９までのいずれかに記載の方法。
【請求項１１】
前記バンド（４）の検証用、カバーバンドによる前記バンド（４）閉鎖用の次ステーションを通る閉鎖されたブリスターバンド（４）が切断される切断ステーション（５）までの選定供給方向（Ａ）の、製品収納ブリスター（２）のあるバンド（４）供給用の搬送手段（３）、前記切断ステーション（５）に位置すると同時に、前記ブリスターバンド（４）の長手方向縁の少なくとも一つの細長片（9a,9b）あるいは断片から分離されたブリスターパック（７）が得られるために前記バンドが漸進的に剪断されるよう前記ブリスターバンド（４）に作動する切断手段（３０）が含まれると同時に、前記切断手段（３０）に少なくとも1ヶ所の一次切断区間（３４）および少なくとも1ヶ所の二次区間（３５）が含まれて、前記ブリスターバンド（４）の不満足と見なされる部分が前記管理ステーションで検出される場合に、欠陥ありと見なされかつ拒絶に向けられる対応するブリスターパック（８）の前記バンド（４）の前記細長片（9a,9b）からの分離が防止されるよう前記二次切断ステーション（３５）が無効にされることを特徴とするブリスターバンド（４）の切断によるブリスターパック（７）の製造装置（１）。
【請求項１２】
前記切断手段（３０）に、前記バンド（４）が切断されるために前記方向（Ａ）のほぼ横断方向に、静止したダイス型手段（３８）との相互動作を伴って移動する押し抜き手段（３２）が含まれ、前記押し抜き手段（３２）には前記一次切断区間（３４）および前記二次切断区間（３５）があって、前記切断手段が、さらに地点（15a,15b）における前記細長片（9a,9b）の切断用の区分けと切断の手段（５０）を支持して、前記押し抜き手段（３２）と同時に前記ダイス型手段（３８）と一緒に協働する請求項１１に記載の装置。
【請求項１３】
前記押し抜き手段（３２）が停止位置と最大行程（ＭＡＸ）によって定められる位置間を中間行程（ＩＮＴ）によって定められる位置を通って交互に移動し、中間行程（ＩＮＴ）に対応する位置と併せて最大行程（ＭＡＸ）に対応する位置でも前記ダイス型手段（３８）と噛合するような延長部に沿う前記押し抜き手段（３２）の切断区域（３３）に沿い前記一次切断区間（３４）が定められ、前記二次切断区域（３５）は前記最大行程（ＭＡＸ）に対応する位置でだけ前記ダイス型（３８）手段と噛合するような延長部に沿う前記押し抜き手段（３２）の切断区域（３３）に沿い定められる請求項１２に記載の装置。
【請求項１４】
前記押し抜き手段（３２）の前記切断区域（３３）に、相互に関して傾斜すると同時に決定される位置（３９）で交差する切断線のある「Ｖ」字形状がある請求項１３に記載の装置。
【請求項１５】
前記一次区間（３４）に前記「Ｖ」字状切断区域（３３）のほぼ横方向部分が含まれると同時に、交差地点（３９）が含まれる前記「Ｖ」字状切断区域（３３）の中央部分によって前記二次切断区域（３５）がほぼ定められる請求項１４に記載の装置。
【請求項１６】
前記押し抜き手段（３２）の前記切断区域（３３）が前記上部一次区間（３４）から前記下部二次区間（３５）の方向に向けられる傾斜にて傾斜した真っ直ぐな切断線によって定められる請求項１３に記載の装置。
【請求項１７】
前記押し抜き手段（３２）の前記切断区域（３３）が、下部部分が前記二次切断区間（３５）である一方で、上部部分が前記一次切断区間（３４）である段階構造（３３）によって定められる請求項１３に記載の装置。
【請求項１８】
前記押し抜き手段（１２）がクランク機構（４３）によって交互に移動するよう操作される請求項１２から請求項１７までのいずれかに記載の装置。
【請求項１９】
さらに細長片の切断によって得られると同時に前記欠陥のあるブリスターパック（８）に合流される端きれ（19a,19b）によって定められる前記細長片（9a,9b）および群（１８）を収集するすべて空のブリスター（２）のある第1拒絶容器手段（６５）、細長片（9a,9b）の切断によって得られると同時に、前記欠陥ブリスターパック（８）に合流される端きれ（19a,19b）によって定められる群（１８）を収集する、完全あるいは不完全製品で充填される少なくとも一つのブリスター（２）のある第2拒絶容器手段（６６）およびこれらをそれぞれの拒絶容器手段（６５，６６）に交互に送る前記細長片（9a,9b）および／または群（１８）を選定する選定手段（６７）が含まれる請求項１１から請求項１８までのいずれかに記載の装置。
【発明の詳細な説明】
【技術分野】
【０００１】
本発明はブリスターバンドの切断によるブリスターパックの製造方法並びに装置に関する。
【０００２】
特に、本発明は錠剤、カプセルおよび同様なものといった薬品が含まれるブリスターパックの製造に関するもので、これに対し以下の説明により一般性が失われることなく明確な言及がなされる。
【背景技術】
【０００３】
一般に、薬品包装に使用されるブリスターパックはブリスタリングマシンと呼ばれる包装マシンによって製造されると同時に、熱成型材料から作られるブリスターバンドの隣接部分の切断によって得られ、このブリスターは品物を収納すると同時に密封バンドで閉鎖される。
【０００４】
相互に横に並べられる1群以上のブリスターは使用済みブリスターバンドに基づいて作られることが可能であり、このブリスターからバンドに沿って横から横に並べられて１つ以上のブリスターパックが得られる。
【０００５】
説明の簡略化のため、以降の説明はブリスターパックが１並びだけ得られる１つのブリスターバンドが参照されてなされる。
【０００６】
現在、不適正な接合および／または印刷の伴った可能性のある部分のブリスターバンドが発見されるために目視検証が行われるだけでなく、ブリスターバンドの適正な充填についてもバンドが被包装品で充填された後に目視検証される。
【０００７】
充填の検証は、ブリスターが空あるいは品物の不完全あるいは一部のみの充填しかなされていない可能性のある群を見つける既知の装置によって、かつ既知の形態で行われており、これにより、販売不可能な欠陥ブリスターパックが発生する。
【０００８】
不完全かあるいはいずれにしても拒絶されるべきブリスター群の位置は、任意の次操作中にこれらのブリスターパックの発見のためエンコーダ、メーター、センサー、タイマー等のようなこの目的に合う技術と装置により電気的処理装置に登録される。
【０００９】
適正な充填がチェックされた後、バンドはアルミニウムあるいはプラスチック材料のようなバンドの密封材料で閉鎖されるとともに、こうして得られたブリスターバンドが単一のブリスターパックの切断のため切断ステーションまで供給され、ここで、押し抜き装置およびダイスがブリスターバンドの供給に関連する段階で作動する。
【００１０】
上述の制御装置により毎回製造されるブリスターパックが適正かあるいは欠陥ありかどうかを知ることが可能なおかげで、各ブリスターパックの最終仕向け場所の決定も可能となり、ブリスターパックは良好な場合は箱詰め区域に送られ、欠陥ありの場合には拒絶品収集器に集められる。
【００１１】
この操作に関しては、通常は、箱詰め区域までのブリスターパックの搬送ラインの切断ステーションと取込みステーション間の切断ステーション下流に位置する選定装置の使用の必要がある。この現在使用されているブリスターマシンの選定装置は、通常、複雑かつ高価であると同時に、ブリスタリングマシンに関する製造速度の相当な低下の原因となる。
【００１２】
独国特許文書DE-U-29907851では、欠陥ブリスターパックの箱詰め区域への誤った供給の回避を目的とした技術手段が利用されるブリスターパック製造に関するブリスタリングマシンが説明されている。
【００１３】
これらの手段によると、切断ステーションの上流に位置するセンサーにより欠陥パックの存在が検知される場合に、通常ブリスターパックを掴むと同時にこれらが箱詰め区域のラインに搬送されるよう操作されるブリスターパックの移動用に使用されるアームの吸引皿が作動停止される。
【００１４】
このように、欠陥ブリスターパックは搬送されないと同時に拒絶ブリスターパックの収集用に予め用意される容器に落とされる。
【００１５】
しかしながら、上記独国特許文書に説明されるブリスタリングマシンでは、欠陥ブリスターパックの拒絶中に、欠陥パックがいくつか偶然、製造サイクルに再導入されてしまうと同時に、期せずして箱詰めされるとともに販売に送られてしまうことが起こり得る。
【００１６】
さらには、上述の拒絶容器により、完全に空のブリスターパックだけでなく製品が充填された幾つかのブリスターと一緒である部分的に空のブリスターパックまで無差別に集められ、従って、ブリスターに収納された医薬品が元に戻されるためには、完全空ブリスターパックが部分的な空パックから分離されるだけでなく、製品が手動で集められる手動で行われるさらに追加の段階が含まれる必要がありさらに相当な時間の浪費となる。
【特許文献１】独国特許文書DE-U-29907851
【発明の開示】
【発明が解決しようとする課題】
【００１７】
従って、本発明の目的は上述の欠点が克服される方法と関連作業装置が提案されることである。
【００１８】
特に、本発明の目的は切断ステーション下流のブリスターパックの除去用の追加装置が無くされると同時に、欠陥が検出される場合でも製造サイクルに再導入されることが全くあり得ないブリスターパックが得られることでもある。
【００１９】
本発明は、ブリスターバンドがカバーバンドで閉鎖されるバンド閉鎖に関するバンド検証用次ステーションを通り閉鎖ブリスターバンドの刈り取りステーションまでの、事前固定される供給方向のブリスター付きバンドの供給、製品の収納の段階を含んでいて、少なくとも１つの前記ブリスターバンドの細長片あるいは長手方向断片縁から関連した分離ブリスターパックの獲得のために、前記切断ステーションに対応する前記閉鎖ブリスターバンドが多段剪断によって切断されるブリスターバンドの切断によるブリスターパックの獲得方法を提案するもので、本装置は、不満足と見なされる前記ブリスターバンドの部分が前記管理ステーションで検知される場合には、欠陥と見なされると同時に拒絶に向けられる対応ブリスターパックの前記バンドの前記細長片からの分離が防止されるよう次の前記剪断が部分的あるいは不完全に行われることを特徴とする。
【００２０】
本発明は、また、バンドがカバーバンドで閉鎖されるバンドの閉鎖に関するバンド検証用次ステーションおよび閉鎖ブリスターバンドが刈り取られる切断ステーションを通る、事前に固定された供給方向の、製品を収納するブリスターのあるバンドの供給が目的とされた搬送手段、前記切断ステーションに位置すると同時に、関連するブリスターパックが前記ブリスターバンドの少なくとも一つの細長片あるいは断片縁から分離されるように、多段剪断による切断を実行する前記閉鎖ブリスターバンドに作動する切断手段が含まれる、ブリスターバンドの切断によるブリスターパック製造装置にも関するもので、該装置は、前記切断手段に、前記切断手段に少なくとも少なくとも1ヶ所の一次切断区域および少なくとも1ヶ所の二次切断区域が含まれ、前記管理ステーションにおいて不満足と見なされる前記ブリスターバンドの部分が検出される場合には、欠陥ありと見なされると同時に拒絶に仕向けられる対応するブリスターパックの前記バンドの前記細長片からの分離が防止されるよう前記二次切断ステーションが無効とされることを特徴とする。
【発明を実施するための最良の形態】
【００２１】
図１、図２、図３、および図４に関して、医薬品（図示されず）が含まれるブリスターパック７製造に関する本提案方法の実施可能な作業装置が参照番号１により指し示される。
【００２２】
特に、装置１は閉鎖ブリスターバンド４の多段切断によってパック７を製造するもので、既知であるが示されない技術による熱成型によって得られるとともに、バンド４が閉鎖バンドの使用された結合によって密封されるまでに医薬品で充填されるブリスター２が特徴とされる。
【００２３】
さらに、装置１は後でより詳しく説明される適正ブリスターパック７と欠陥ブリスターパック８間の選定操作の実行が目的とされる。
【００２４】
実際、装置１により、順次箱詰めと販売に送付可能であるすべてのブリスター２は、全く空かあるいは必ずしもすべてが完全に製品で充填されたとは限らないブリスター２のパックあるいは一つ以上のブリスター２により不完全製品（例えば割れた薬品ピル）が収納されるパックである拒絶が目的とされる欠陥ブリスターパック８の、全体が完全な製品で充填される適正ブリスターパック７からの分離と分割される状態の厳格な維持が可能となる。
【００２５】
さらに、装置１はブリスターバンドの部分あるいは細長片９（図５〜図９）あるいは切断操作によって得られる断片の拒絶が可能であって、これらは後にリサイクル可能である。
【００２６】
図１、図２、図５および図６によると、駆動ロール３により密封済みブリスターバンド４が供給方向Ａに供給されるよう操作される。
【００２７】
示された例および以下の説明により、図５、図６および図７に示されるように唯一の長手方向並びをもつブリスターパック７のブリスターバンド４だけに言及されるが、ある必要な変更が加えられることによって、特許請求される発明は次から次へとブリスター群の複数の並びのあるバンドに関してもまた利用可能であり、これからより多くのブリスターパックが横から横へと得られることが明らかである。
【００２８】
操作状況において、ブリスター２付きのバンドが医薬品で充填された後かつこれが密封されるまでに、上述のように、既知技術にはブリスター２の適正充填の検証が含まれ、詳細には、検知あるいは管理ステーションに位置する光学装置あるいは同様な既知タイプのもの（図示されず）が使用されて行われるこの検証により、空のブリスター２あるいは損傷したあるいは不完全製品が収納されるブリスターの発見が可能となって、これにより空あるいは損傷した製品で充填されるバンド４のブリスター２の位置する正確な区域が検知されかつ記憶される。
【００２９】
欠陥が検知された該区域は上述の検証装置に接続される中央処理装置の適当な記憶区域に記憶されて、空あるいは損傷製品で充填された区域の含まれる次のブリスターパックはその後に拒絶可能となる。
【００３０】
検知および管理ステーションの下流で、バンド４はその後密封されると同時に図１から図４まで参照番号５で示される切断ステーションまで供給されるとともに装置１と一緒になる。
【００３１】
バンド４はブリスターパック７が得られるようステーション５で刈り取られる。
【００３２】
図１から図４に示されたものによると、切断ステーション５には、交互に移動すると同時に、その作業ヘッドによりブリスターパック７の境界が定められることが目的とされる切断区域３３を定める押し抜き装置３２によって定められる移動切断ステーション３０が含まれる。
【００３３】
押し抜き装置３２は押し抜き装置３２とダイス３８間を移動するブリスターバンド４の供給と関連する段階で固定ダイス３８と一緒に作動する。
【００３４】
図１から図４に示される実施例によると、バンド４は切断ステーション５を通過して鉛直方向Ａに移動するとともに、押し抜き装置３２は横方向、つまり水平方向に操作される。
【００３５】
特許請求される本発明は、また、バンド４が別の方法で方向が向けられる切断ステーション５を走り抜けるとともに、押し抜き装置３２が示されかつ説明されるものとは異なる方向に操作される場合にも適用可能であるものと理解される。押し抜き装置３２が横方向に操作される時に、切断区域３３は図８に示されるようにブリスターバンド４が剪断されるとともに関連するブリスターパック７が得られるようにダイス３８の穴に入る。
【００３６】
ブリスターパック７がバンド４の剪断によって形成されるとともに、バンド４上にある空の区域が剪断および以前に作られたブリスターパック７のその後の分離によりそのまま残されるバンド４が見えうる図５に、この操作の進捗状況が図式的に示された。
【００３７】
切断ステーション５を通るブリスターバンド４の進行は、近辺ブリスターパック間の材料の浪費が回避されるよう形成されるブリスターパック７の幅と等しい間隔で実行される。
【００３８】
図５および図７に詳細に示されたものによると、残りの材料の細長片９a、９bは各剪断の後、長手方向縁６a，６bに沿って廃棄される。
【００３９】
細長片９a，９bにより切断されたブリスターパック７の外形の補完形状が再生される。
【００４０】
図１から図４までの図に示されたものによると、装置１にはバンド４から切断かつ分離されるブリスターパック７が引取られるためダイス３８近くに位置する移送手段５７が含まれる。
【００４１】
移送手段５７には例えば吸引皿５９（図３）のように拾い上げ手段のある往復動作するアーム５８が含まれる。
【００４２】
アーム５８は、図１に示される吸引皿５９によりブリスターパック７が保持される、拾い上げ位置とパック７が開放されると同時に装置１（図１）の外側の包装区間の供給ライン５６に置かれる開放位置（図３）との間で押し抜き装置３２の操作と関連する段階で往復動作させられる。
【００４３】
図２および図３および図９に示されるものによると、追加の切断手段５０は、残りの材料の細長片９a，９bあるいは断片が再分割されて端きれ１９a，１９bが得られるように押し抜き装置３２に隣接して位置すると同時にこれによって支持される。
【００４４】
追加の切断手段５０には押し抜き装置３２の側に締結される一組の刃５３が含まれるが上述の図では残りの刃は全く同じでかつ対称であるので1枚の刃５３しか示されない。
【００４５】
このように、刃５３は同じ押し抜き装置３２によって運ばれ、これらは同時に同期が取られるかあるいは押し抜き装置３２の操作と同時に作動するとともにその他の操作手段は必要とされない。
【００４６】
細長片９a，９bが切断されるためには、図３で良く分かるように刃５３が静止したダイス３８の外側の切断縁５４と協力して作動する。
【００４７】
細長片９a，９bの切断によって得られる端きれ１９a，１９bは後に説明される方法で適当な容器に集められる。
【００４８】
図１から図４までならびに図１０aに示される本発明の装置１によると、押し抜き装置３２の切断区域３３（図１および図２）は、それぞれ対称の傾きの相互に傾斜しかつ点３９で交差する２つの切断線が付いた「Ｖ」字形状であることが好ましい。
【００４９】
切断区域３３には一次切断区間３４と二次切断区間３５がある。
【００５０】
さらに詳細には、一次切断区間３４には「Ｖ」字様切断区域のほぼ横方向の部分が含まれるとともに二次切断区域３５は図２、図３および図４に示されるように交差点３９が含まれるほぼ「Ｖ」字様の切断区域３３の中央部分によって定められる。
【００５１】
２つの切断区間３４および３５間の差は、一次切断区間３４が、常にそしていずれにしても、バンド４が切断されるためにバンド４に向けた押し抜き装置３２の移動中のバンド４に作動することが目的とされている一方で、他方、方向Ａの横断方向でかつ切断区域３３の「Ｖ」字形状による押し抜き装置３２の動作方向が考慮される一次区間３４に関する後部位置の二次切断区間３５は、以降でさらに十分説明されることに応じて、完全無欠であると検出された医薬品で充填された全てのブリスター２と一緒であるバンド４が満足すべきであることが以前に検出された場合である与えられた操作条件でのみ、切断されるようバンド４に作動することが目的とされているという点にある。
【００５２】
言換えると、バンド４に関する二次切断区間３５のない働きの正確な目的は、欠陥の検出されたブリスターパック８と残りの材料の細長片９a，９bあるいは断片の少なくともどちらかあるいは好ましくは両方の間に合流区域４６a，４６bが残されることにある。
【００５３】
この条件は図６で容易に理解可能である。
【００５４】
こうして、次のことから、特に、本装置による実施方法の説明から明らかになるように、欠陥パック８が断片材料の細長片９a，９bと一緒にこれらの方法が継続されて運ばれる。
【００５５】
これは、部分的に切断されるが細長片９a，９bから分離されない一つの欠陥パック８と一緒のバンド４、つまり、区域４６a，４６bに対応する位置で細長片９a，９bに合流される欠陥ブリスターパックあるいはパック８がアーム５８の吸引皿５９によって拾い上げられずに作動が適切に効力をなくすことが示される図７および図９で理解可能である。
【００５６】
バンド４にある押し抜き装置３２の二次切断区間３５の非操作状態が得られるために、本発明には以下の局面が含まれる。
【００５７】
第1局面では、押し抜き装置３２により完全にバンド４が切断される最大行程に到達するＭＡＸと表示される非操作停止位置（図２）と作動位置（図３）との間を移動するそれ自身既知のクランク機構４３によって操作されて、適正なブリスターパック７が得られる押し抜き装置３２の作動に言及される。
【００５８】
拒絶されるべき欠陥ブリスターパック８の発生中である、後部位置におけるそして拒絶するべきバンド４部分の場合のように、上述の非操作位置とＭＡＸ位置の間で、区間３５が作動効力をなくすＩＮＴ（図４）で表示される中間位置に押し抜き装置３２が到達する。
【００５９】
この目的で、すでにこれまでに述べられたように、押し抜き装置３２は、良く知られたクランク機構の、バンド４の供給方向Ａで横断方向にバンド４の前後に押し抜き装置３２が移動する駆動機構４３に接続される。
【００６０】
従って、クランク機構が360度完全回転の場合は、押し抜き装置３２により上述のＭＡＸ位置に到達する完全行程が実行される一方で、クランク機構４３に課せられる回転（図４の矢印Ｆ１）が、約325度回転に対応する地点で、拒絶すべきバンド４の部分を検知した制御装置によって制御されて停止される時、押し抜き装置３２は中間位置ＩＮＴにて停止し、その後、クランク機構４３は、押し抜き装置３２がその最初の非操作位置（図４の矢印Ｆ２）まで戻されるように反対方向に回転する。
【００６１】
このタイプのクランク機構４３操作の制御は既知技術による既知のブラシのないモーターによって実行されるのが好ましい。
【００６２】
第2局面は既に言及された押し抜き装置３２の切断区域３３のＶ字形状に関すると同時に、これによると、既に上述された通り、一次切断区間３４は、中間行程ＩＮＴの場合と同様に、最大行程ＭＡＸの押し抜き装置３２の端部でダイス３８と噛合するような延長部に沿って定められるのに対して、中間行程ＩＮＴの最中には細長片９aと９bからブリスターパック８の完全分離が防止されるよう二次区間３５が無効である一方で、二次切断区間３５の延長部は、押し抜き装置３２がその最大行程ＭＡＸを実行する時のみにダイス３８と従ってバンド４と噛合するといったように定められる。
【００６３】
特に、すべてのこれらの効果が得られるためには、二次切断区間３５は一次切断区間３４のある押し抜き装置３２の理想横断面に関して置き換えられる。
【００６４】
上述のように、二次切断区間３５は一次切断区間３４の少なくとも主要部がある理想横断面上部に関して傾斜する。
【００６５】
さらに正確には、一次切断区間３４はバンド４に関して横断方向である押し抜き装置３２の側３６a上に伸びると同時に、押し抜き装置３２はバンド４の供給方向Ａの反対方向に回転する。一次切断区間３４はバンド４に関して長手方向である押し抜き装置３２の側に位置すると同時に、刃５３はこれらが残りの材料の細長片９a，９bが切断される時に作動する切断区域１５a，１５b（図５および図７）に対応する切断区域３３の少なくとも2点２５a，２５b間に延びる。
【００６６】
従って、二次切断区間３５は細長片９a，９bにある切断区域１５a，１５bに対応する長手方向側に位置する上記2点２５a，２５bあるいはこれに近い点から始まる。
【００６７】
二次切断区域３５にはダイス３８と反対方向の押し抜き装置３２の横断方向区間に関して傾斜する切断区域３３の2区間が含まれるのが好ましい。
【００６８】
二次切断区間３５の原点は、一次切断区間３４により地点１５a、１５b（図７）にてバンド４に、尚、接合される細長片９a，９bから欠陥パック８の分離が確保されるようにこれらの地点を越えて実際に伸びる点２５a，２５b近くに位置するのが適当である。
【００６９】
図５、図６および図７から、実際にはこの押し抜き装置３２の部分によりバンド４にある切断操作は全く実行されないのにもかかわらず、バンド４供給間隔がブリスターパックの幅と等しいので、一次切断区間３４には同一ブリスターバンド４の供給方向Ａに向く押し抜き装置３２の対向する切断縁３６bも含まれることが見て取ることが可能である。
【００７０】
しかしながら、ブリスターバンド４供給ピッチが、得られたブリスターパック７の幅より大きい場合には押し抜き装置３２は操作可能である。図１０bおよび図１０cによると、押し抜き装置３２の切断区域３３は、前述のかつ図１から図４および図１０bに示される可能性のある変型例による図１０aに示される「Ｖ」字様形状とは異なる構造をしており、区域３３は上部に位置する一次区間３４から下部に位置する二次区間３５に向かう側３６aから側３６bに向けた方向で傾斜する直線の傾斜切断ライン３３によって定められる。
【００７１】
図１０cに示される可能性のある変型例によると、切断区域３３は、３６b側にある下部部分が二次切断区域３５である一方で、３６a側のある上部部分が一次切断区間３４であるという段階構造３３によって定められる。
【００７２】
図１によると、バンド４の供給方向に関する切断ステーション５下流で、装置１には、細長片９a，９bが細長片９a，９bの切断によって得られると同時に、すべて空のブリスター２がある欠陥ブリスターパック８に合流される端きれ１９a，１９bによって定められる群１８と併せて、集められる第1拒絶容器６５もまた含まれる。
【００７３】
装置１には、細長片９a，９bの切断によって得られるとともに、完全製品あるいはその断片で充填された少なくとも１つのブリスター２のある欠陥ブリスターパック８に合流される端きれ１９a，１９bによって定められる群１８の収集用の第2拒絶容器６６が含まれる。
【００７４】
さらに、装置１にはそれぞれの拒絶容器６５，６６にこれらを交互に送る上記の細長片９a，９bおよび／または群１８を選定する選定手段６７が含まれる。特に、手段６７には完全に空の欠陥ブリスターパック８、および不完全あるいは不完全製品を収納する不完全充填欠陥ブリスターパック８の検知に関して制御される出入り制御装置６８が含まれる。
【００７５】
従って、使用中には、出入り制御装置６８は、残りの材料の端きれ１９a，１９bおよびそこに合流される残りの材料の対応する端きれ１９a，１９b付きの完全空ブリスターパック８によって定められる群１８（図９）を下部に位置する第1拒絶容器６５まで送る片側にあるとともに、そこに合流される対応する残りの材料１９a，１９bの端きれ付きの不完全充填あるいは不完全あるいは一部製品含有ブリスターパック８によって定められる群１８を第2拒絶容器６６まで搬送する反対側にある、2ヶ所の横方向端部位置間を移動する既知の図には示されない原動機手段によって操作される。
【００７６】
残りの材料の端きれ１９a，１９bおよび完全に空のブリスターパック８で充填された拒絶容器６５は、残りの材料（スクラップ）がリサイクルされるため空にされることは都合が良い。
【００７７】
部分充填ブリスターパック８は、既に完全に空のブリスターパック８と同様に、スクラップ９a，９bと一緒に医薬品がリサイクルされるように、都合が良くかつ迅速に空にされるよう別の拒絶容器６６から取り除かれる。
【００７８】
適正なブリスターパック７の外側構造は包装されることがあり得ない欠陥ブリスターパック８の外側構造とは完全に異なるので、期せずして製品リサイクルに向けられるパック８が包装サイクルに再生されるためのリスクは全く無いという事実により、大きな利点が得られる点が指摘されなくてはならない。（この点に関しては図８のブリスターパック７と図９の端きれ１９a，１９bに合流される欠陥ブリスターパック８間で考慮可能な構造差を参照のこと）
【００７９】
従って、満足すべきブリスターパック７だけがあってかつこれがアーム５８の吸引皿５９によって取り除かれるので、結果として製造速度が相当に低下する現在既知のマシンでこれが行われているように、同一ブリスターパック７だけがアーム５８によって他の拒絶ブリスター群がもはや必要とされない包装ライン５６に置かれる。
【００８０】
装置１は細長片９a，９bからの分離が防止されるよう、つまりは、残りの材料の細長片９a，９bに接続されたまま、欠陥ブリスターパック８が必ずその前方への移動を継続しなくてはならないよう、欠陥ありと見なされると同時に引き続き拒絶されるブリスターパック８だけが部分的に切断されるよう、次のようにほぼ作動する。
【００８１】
ステーション５における細長片９a，９bの剪断中には、不完全切断と同時に、欠陥ブリスターパック８および残りの材料１９a，１９bの２つの端きれによって定められる群１８が得られ、合流区域４６a，４６bによって欠陥ブリスターパック８の側に接続される。（図９）、
【００８２】
特に、本方法によると、欠陥ブリスターパック８の部分切断はブリスターバンド４の切断がもたらされる押し抜き装置３２の切断区域３３の縮小によって行われる。
【００８３】
装置１の説明からそれとなく分かるように、切断区域３３の縮小は押し抜き装置３２の有効行程の制限によって得られて、押し抜き装置の一次切断区間３４は欠陥パック８が切断されるのと同様に適正パック７が切断されるブリスターバンド４に作動する。
【００８４】
反対側では、押し抜き装置３２の二次切断区間３５はバンド４から完全適正ブリスターパック７が切り離されるためにだけブリスターバンド４に作動するようなる。
【００８５】
上述の方法によると、一次切断区域３４の主要部分がある理想横断面に関する移動（後部）位置の二次切断区域３５の設置によって、特に、上記面に関してこれが傾斜すると同時に、上述のＭＡＸおよびＩＮＴの値の間の押し抜き装置３２行程の延長部が変動することによって、最大行程ＭＡＸ（図３）の場合には完全な、あるいは中間行程ＩＮＴ（図４）の場合には部分的にのみブリスターパック７の切り離しが可能となる。
【００８６】
本発明によって提案される方法は特徴的な特色によって完成され、それによると、残りの材料１９a，１９bの端きれのみの細長片９からの切断が、欠陥ブリスターパック８に部分的に接続される端きれ１９a，１９bの切断と同様に、同一押し抜き装置３２による同一の刃５３の作動によって行われる。
【００８７】
これにより、押し抜き装置３２にある既に今ある同一手段の使用が、作動機構４３によって、別の追加切断手段が設置されなくても可能となる。
【００８８】
従って、これが先行技術で行われるように切断ステーションの下流で欠陥ブリスターパックが除去されなければならないといった何らの手段もないので事前に設定された目的は達成される。さらに上述の装置と方法の使用によって得られる特別な構造によって、発生する欠陥ブリスターパックが適正ブリスターパックと区別がつかなくなることは決してあり得なく、従って、欠陥ブリスターパックが作業サイクルに再導入されかつ包装可能であることのリスクは全くない。
【００８９】
適正ブリスターパックだけが次の包装操作に向けて前進し得る。
【００９０】
このように考えられた本発明はまた本発明の範囲に留まる多くの変更や変型の主題でもあり得て、すべての詳細は技術的に等価な要素と置き換え可能である。
【図面の簡単な説明】
【００９１】
本発明は添付図面に示される以下の提案された方法が実施される本装置の好ましいが非排他的な実施例が参照されて説明されよう。すなわち、
【００９２】
【図１】提案されるとともに特許請求される方法が実施される装置の作業ステーションの、明瞭にするためある部分が除去された図式的な部分断面図。
【図２】いくつかの特徴的な操作段階における図１の作業ステーションの拡大詳細図。
【図３】いくつかの特徴的な操作段階における図１の作業ステーションの拡大詳細図。
【図４】いくつかの特徴的な操作段階における図１の作業ステーションの拡大詳細図。
【図５】図１の作業ステーションの通過中に、ブリスターバンドによって取られる様々な位置が示される。
【図６】図１の作業ステーションの通過中に、ブリスターバンドによって取られる様々な位置が示される。
【図７】図１の作業ステーションの通過中に、ブリスターバンドによって取られる様々な位置が示される。
【図８】本発明により提案される装置によって得られるそれぞれ販売に相応しいブリスターパック、欠陥ブリスターパックが示される。
【図９】本発明により提案される装置によって得られるそれぞれ販売に相応しいブリスターパック、欠陥ブリスターパックが示される。
【図１０ａ】図１から図４に示される作業ステーションの特徴に関する３つの可能性のある代替変型例が示される。
【図１０ｂ】図１から図４に示される作業ステーションの特徴に関する３つの可能性のある代替変型例が示される。
【図１０ｃ】図１から図４に示される作業ステーションの特徴に関する３つの可能性のある代替変型例が示される。
【図１】
2007534570.tif 000003
【図２】
2007534570.tif 000004
【図３】
2007534570.tif 000005
【図４】
2007534570.tif 000006
【図５】
2007534570.tif 000007
【図６】
2007534570.tif 000008
【図７】
2007534570.tif 000009
【図８】
2007534570.tif 000010
【図９】
2007534570.tif 000011
【図１０ａ】
2007534570.tif 000012
【図１０ｂ】
2007534570.tif 000013
【図１０ｃ】
2007534570.tif 000014
【国際調査報告】
2007534570.tif 000015
2007534570.tif 000016
2007534570.tif 000017